(57)【要約】【課題】表示中のファイルを外部の装置より特定可能とする。【解決手段】デジタルカメラ１０内の記憶装置１０２の画像ファイルフォルダ１０８には複数の画像ファイルが格納されており、所望のファイルを選択することができる。デジタルカメラ１０が再生モードで動作している場合、選択された画像ファイルは表示装置１０４において表示されるとともに、この選択されたファイルを外部より予め決められたファイル名（ＤＩＳＰ）で取得できるように画像ファイルフォルダ１０８内のファイル構成を変更する。すなわち、選択された画像ファイルのコピーを予め決められた名称（ＤＩＳＰ）のファイルとして格納する。プリンタ２０は、予め決められたファイル（ＤＩＳＰ）名を指定したＲＥＡＤコマンドをデジタルカメラ１０に発行することで、表示装置１０４に表示中の画像の画像ファイルを得ることができる。【選択図】　図１
2004078520.tif 000002
【特許請求の範囲】
【請求項１】
記憶手段内の所望のファイルを選択する選択手段と、
前記選択手段で選択されたファイルを表示する表示手段と、
前記選択されたファイルを外部より予め決められたファイル名で取得できるように前記記憶手段のファイル構成を変更する変更手段と
を備えることを特徴とする情報処理装置。
【請求項２】
前記変更手段は、前記選択されたファイルのコピーを前記予め決められたファイル名で前記記憶手段に格納することを特徴とする請求項１に記載の情報処理装置。
【請求項３】
前記変更手段は、前記選択されたファイルの実体部分を前記予め決められたファイル名で特定するためのディレクトリ情報を格納することを特徴とする請求項１に記載の情報処理装置。
【請求項４】
外部より指定されたファイル名のファイルを出力する出力手段を更に備えることを特徴とする請求項１に記載の情報処理装置。
【請求項５】
前記出力手段は、外部より指定された文字列をファイル名に含むファイルを出力することを特徴とする請求項４に記載の情報処理装置。
【請求項６】
第１の情報処理装置と第２情報処理装置を接続可能な情報処理システムであって、
前記第１の情報処理装置において、
記憶手段内の所望のファイルを選択する選択手段と、
前記選択手段で選択されたファイルを表示する表示手段と、
前記選択されたファイルを外部より予め決められたファイル名で取得できるように前記記憶手段のファイル構成を変更する変更手段とを備え、
前記第２の情報処理装置において、
前記第１の情報処理装置に前記予め決められたファイル名でアクセスして前記選択されたファイルを取得する取得手段とを備えることを特徴とする情報処理システム。
【請求項７】
前記第１の情報処理装置がデジタルカメラであり、前記第２の情報処理装置がプリンタであることを特徴とする請求項６に記載の情報処理システム。
【請求項８】
記憶手段内の所望のファイルを選択する選択工程と、
前記選択工程で選択されたファイルを表示する表示工程と、
前記選択されたファイルを外部より予め決められたファイル名で取得できるように前記記憶手段のファイル構成を変更する変更工程と
を備えることを特徴とする情報処理方法。
【請求項９】
前記変更工程は、前記選択されたファイルのコピーを前記予め決められたファイル名で前記記憶手段に格納することを特徴とする請求項８に記載の情報処理方法。
【請求項１０】
前記変更工程は、前記選択されたファイルの実体部分を前記予め決められたファイル名で特定するためのディレクトリ情報を格納することを特徴とする請求項８に記載の情報処理方法。
【請求項１１】
外部より指定されたファイル名のファイルを出力する出力工程を更に備えることを特徴とする請求項８に記載の情報処理方法。
【請求項１２】
前記出力工程は、外部より指定された文字列をファイル名に含むファイルを出力することを特徴とする請求項１１に記載の情報処理方法。
【請求項１３】
第１の情報処理装置と第２情報処理装置を接続可能な情報処理システムにおける情報処理方法であって、
前記第１の情報処理装置において、記憶手段内の所望のファイルを選択する選択工程と、
前記第１の情報処理装置において、前記選択工程で選択されたファイルを表示する表示工程と、
前記第１の情報処理装置において、前記選択されたファイルを外部より予め決められたファイル名で取得できるように前記記憶手段のファイル構成を変更する変更工程と、
前記第２の情報処理装置により、前記第１の情報処理装置に前記予め決められたファイル名でアクセスして前記選択されたファイルを取得する取得工程とを備えることを特徴とする情報処理方法。
【請求項１４】
請求項８乃至１３のいずれかに記載の情報処理方法をコンピュータに実行させるための制御プログラム。
【請求項１５】
請求項８乃至１３のいずれかに記載の情報処理方法をコンピュータに実行させるための制御プログラムを格納した記憶媒体。
【発明の詳細な説明】
【０００１】
【発明の属する技術分野】
本発明は、情報処理装置及びシステム及び方法に関する。更に詳しくは、画像ファイルの管理に好適な情報処理装置及びシステム及び方法に関する。
【０００２】
【従来の技術】
一般に、デジタルカメラ等の装置では、撮影した画像を画像ファイルとして記憶装置に記憶し、記憶装置に記憶された複数の画像ファイルから所望のものを選択的に表示できるように構成されている。
【０００３】
【発明が解決しようとする課題】
しかしながら、そのようにして表示されているデータを外部からアクセスしようと思っても、そのような手段はなかった。たとえば、デジタルカメラ内の記憶装置に記憶されている画像ファイルをプリンタで印刷しようと思っても、プリンタをコントロールするソフトを新たに開発する必要があった。更に、デジタルカメラで表示中の画像ファイルのファイル名を認識し、これを指定するという操作が必要となる。
【０００４】
また、プリンタ側で印刷すべきファイルを認知して印刷する目的で策定されたＤＰＯＦ（Ｄｉｇｉｔａｌ　Ｐｒｉｎｔ　Ｏｒｄｅｒ　Ｆｏｒｍａｔ）仕様が存在するが、表示されているものを即座にプリントするという点で考えれば、ユーザにとって不便さを感じざるを得ない。例えば、デジタルカメラにおいて表示中の画像ファイルを、これに接続されたプリンタから特定して印刷することを可能とすれば、操作性を向上させることができる。
【０００５】
従って本発明の目的は、表示中のファイルを外部の装置より特定可能とすることにある。
【０００６】
【課題を解決するための手段】
上記の目的を達成するための本発明による情報処理装置は、以下の構成を備える。すなわち、
記憶手段内の所望のファイルを選択する選択手段と、
前記選択手段で選択されたファイルを表示する表示手段と、
前記選択されたファイルを外部より予め決められたファイル名で取得できるように前記記憶手段のファイル構成を変更する変更手段とを備える。
【０００７】
また、上記の目的を達成するための本発明による情報処理システムは、以下の構成を備える。すなわち、
第１の情報処理装置と第２情報処理装置を接続可能な情報処理システムであって、
前記第１の情報処理装置において、
記憶手段内の所望のファイルを選択する選択手段と、
前記選択手段で選択されたファイルを表示する表示手段と、
前記選択されたファイルを外部より予め決められたファイル名で取得できるように前記記憶手段のファイル構成を変更する変更手段とを備え、
前記第２の情報処理装置において、
前記第１の情報処理装置に前記予め決められたファイル名でアクセスして前記選択されたファイルを取得する取得手段とを備える。
【０００８】
また、上記の目的を達成する本発明の情報処理方法は、
記憶手段内の所望のファイルを選択する選択工程と、
前記選択工程で選択されたファイルを表示する表示工程と、
前記選択されたファイルを外部より予め決められたファイル名で取得できるように前記記憶手段のファイル構成を変更する変更工程とを備える。
【０００９】
更に、上記の目的を達成する本発明の情報処理方法は、
第１の情報処理装置と第２情報処理装置を接続可能な情報処理システムにおける情報処理方法であって、
前記第１の情報処理装置において、記憶手段内の所望のファイルを選択する選択工程と、
前記第１の情報処理装置において、前記選択工程で選択されたファイルを表示する表示工程と、
前記第１の情報処理装置において、前記選択されたファイルを外部より予め決められたファイル名で取得できるように前記記憶手段のファイル構成を変更する変更工程と、
前記第２の情報処理装置により、前記第１の情報処理装置に前記予め決められたファイル名でアクセスして前記選択されたファイルを取得する取得工程とを備える。
【００１０】
【発明の実施の形態】
以下、添付の図面を参照して本発明の好適な実施形態について説明する。
【００１１】
〈第１実施形態〉
以下に説明する実施形態では、デジタルカメラとプリンタの接続を例に挙げて説明する。なお、画像を提供する側の装置としては、複数の画像ファイルを記憶し、それらの中から所望の画像ファイルを選択的に表示可能な装置であればよい。また、プリンタとしては、レーザビーム方式、インクジェット方式等、その記録方式は何等限定されるものではない。
【００１２】
図１は第１実施形態によるデジタルカメラとプリンタの接続状態を説明する図である。デジタルカメラ１０の記憶装置１０２には、複数の画像ファイルを格納可能な画像ファイルフォルダ１０８が設けられている。デジタルカメラ１０によって撮像された画像は画像ファイルとしてこの画像ファイルフォルダ１０８に格納される。
【００１３】
本実施形態では記憶装置に記憶された画像ファイルより選択され、表示装置１０４に表示された一つの画像ファイルをＤＩＳＰというファイル名で外部装置よりアクセスできるように記憶装置１０２内のファイル構成を変更する。第１実施形態では、このファイル構成の変更方法として、表示中のファイルのコピーを予め決められたファイル名（ＤＩＳＰ）で保存する。外部の装置は、ＤＩＳＰというファイル名で、現在表示装置１０４に表示されているファイルを特定することができる。そして、プリンタ２０より予め決められたファイル名（ＤＩＳＰ）でデジタルカメラにアクセスが来た場合、現在表示中のファイルが外部装置に渡される。従って、プリンタ２０によって予め決められたファイル名のファイルを読み込んで印刷をすれば、表示装置１０４に表示された画像ファイルを印刷することができる。
【００１４】
図２は本実施形態によるデジタルカメラ１０の構成を示すブロック図である。
図２において、１０１はＣＰＵであり、デジタルカメラ１０の制御全体をつかさどる。１０２は記憶装置であり、ＣＰＵ１０１が実行する制御プログラムを格納するとともに、各種制御の実行に必要なワークエリアを提供する。また、記憶装置１０２は、上述したように画像ファイルを保存する画像ファイルフォルダ１０８を有する。
【００１５】
１０３は入力装置であり、図３で後述する操作パネルを含む。１０４は表示装置であり、入力装置１０３からの入力に従い、画像ファイルの表示や、その他の情報を表示する。１０５は撮像手段であり、例えばＣＣＤ等の光電変換によって画像を電気信号に変換し、画像データを得る。得られた画像データは画像ファイルとして画像ファイルフォルダ１０８に保存される。１０６は接続部であり、これを通じてプリンタ２０等の外部装置と接続する。
【００１６】
外部装置は、接続部１０６を介してデジタルカメラ１０に接続されている状態で、画像ファイルフォルダ１０８内のファイルに対してアクセスできる。具体的には、ファイル指定と共にＲＥＡＤコマンドが外部装置からきたときに、その指定されたファイルを外部装置側に転送する仕組みが接続部１０６によって提供される。
【００１７】
図３は入力装置１０３の有するスイッチパネルを示す図である。図３において、２０１、２０２は本デジタルカメラ１０におけるモード切替スイッチであり、撮影モードスイッチ２０１で撮影モード（撮像装置１０５を用いた撮影が可能なモード）へ、再生モードスイッチ２０２で再生モード（記憶装置１０２の画像ファイルフォルダ１０８に格納された画像ファイルを表示装置１０４に表示するモード）への切り替えが行なえる。２０３、２０４は、再生モードにおいて表示装置１０４に表示する画像ファイルを切替え、選択するためのスイッチである。ＲＥＷスイッチ２０３は逆送り方向、ＦＦスイッチ２０４は順送り方向に表示画像を切り替える。
【００１８】
図４は画像ファイルフォルダ１０８のデータ構成例を説明する図である。３０１から３０５までは画像ファイルディレクトリ３１であり、格納されている画像ファイルの情報を格納するＮ個の固定データ長のブロック（ファイル情報ブロック）の集まりである。それぞれのファイル情報ブロックには、ファイル名とそのサイズ、及びファイル本体の格納場所の最初のアドレスが格納されている。図５はファイル情報ブロックのデータ構成例を示す図であり、４０１はファイル名、４０２はファイルのサイズ、４０３はそのファイル本体の格納されている先頭アドレスを示す。たとえば、ＦＩＬＥ＿１というファイル名のファイルでは、そのファイル情報ブロックには、ファイル名４０１に「ＦＩＬＥ＿１」が、ファイルサイズ４０２にファイル本体３０６のファイルサイズが、先頭アドレス４０３にファイル本体３０６の先頭アドレス（３１０）が格納される。
【００１９】
なお、本実施形態では、説明の都合上、ＦＩＬＥ＿ｍまでのファイルが保存されているとする。よって、実体格納領域３２には、３０８までの「ＦＩＬＥ＿ｍ」まで格納されている。また、図４では「ＤＩＳＰ」というファイル名のファイル（以下、ＤＩＳＰファイル）が、ファイル情報ブロック３０４、ファイル本体３０９、先頭アドレス３１３によって設けられているが、これについては後述する。
【００２０】
また、本システムでは、格納可能なファイルの数をｎまでとし、ファイル情報ブロックはｎ個分が用意されている。また、ファイルの存在していないファイル情報ブロックには、ファイル名に特殊な名前、例えば「ＸＸＸＸ」を格納するものとする。
【００２１】
以上のような構成を備えた本実施形態のデジタルカメラの動作について、図６〜図９のフローチャートを参照して説明する。
【００２２】
図６は本実施形態のデジタルカメラによる全体的な処理を説明するフローチャートである。なお、以下の処理において、現在のモードを示す「ＭＯＤＥ」、再生モード時にどのファイルが表示装置に表示されているかを示すポインタ「ＰＮＴＲ」、画像ファイルフォルダ１０８に格納されている画像ファイルの数「ＭＡＸ」が用いられるが、これらＭＯＤＥ、ＰＮＴＲ、ＭＡＸは記憶装置１０２に設けられる。なお、ＭＯＤＥは、「１」が録画モードを、「０」が再生モードを示す。
【００２３】
ステップＳ５０１において、操作パネル（図３）上のどのスイッチが操作されたかを判定する。撮影モードスイッチ２０１が操作された場合は、ステップＳ５０２へ進み、モードフラグ（ＭＯＤＥ）を１にセットし、撮影モードのための処理（撮像装置１０５による撮影処理等）を行なう。また、撮影モード時では、ＤＩＳＰファイルを無効にするＤＩＳＰファイル処理を行なう。
【００２４】
ステップＳ５０１で再生モードスイッチ２０２が操作されたと判定された場合には、再生モード処理を実行するべくステップＳ５０３へ進む。ステップＳ５０３では、再生モードを示すようにＭＯＤＥに０をセットし、ＰＮＴＲを１にセットする。
そしてステップＳ５０４へ進み、ＰＮＴＲによって示されるファイルの表示を行う。
ステップＳ５０４で表示を行なった後、再び入力待ち（ステップＳ５０１）に戻る。なお、ステップＳ５０４による表示処理は、図７のフローチャートにより後述する。
【００２５】
ステップＳ５０１でＲＥＷスイッチ２０３が押されたと判定された場合は、表示するファイルを後退させる処理、つまり、Ｎ番目のファイルを表示中であればＮ−１番目のファイルを表示させる処理をおこなう。まず、ステップＳ５０５でＰＮＴＲを−１し、５０９でそのＰＮＴＲの値が１未満になってしまったかを判断する。
ＰＮＴＲが１未満でなければ、ステップＳ５０５で新しく設定したＰＮＴＲによって指し示されるファイルを表示すべくステップＳ５０４へ処理を進める。一方、ステップＳ５０６でＰＮＴＲが１未満であると判定された場合は、そのようなＰＮＴＲによって指し示されるファイルは存在しないので、ステップＳ５０７にてＰＮＴＲを１に固定し、ステップＳ５０１へ処理を戻す。
【００２６】
また、ステップＳ５０１でＦＦスイッチ２０４が押されたと判定された場合は、表示するファイルを進める処理、つまり、Ｎ番目のファイルを表示中であればＮ＋１番目のファイルを表示すべく処理を行う。まずステップＳ５０８においてＰＮＴＲを＋１し、ステップＳ５０９でその数が画像ファイルフォルダ１０８に存在する数ＭＡＸを超えないかを判断する。ＰＮＴＲがＭＡＸを超えない場合には、ステップＳ５０８で新たに設定されたＰＮＴＲのファイルを表示すべく、ステップＳ５０４に処理を戻す。一方、ステップＳ５０９でＰＮＴＲがＭＡＸを超えた場合には、ステップＳ５１０においてＰＮＴＲをＭＡＸに固定し、ステップＳ５０１へ処理を戻す。
【００２７】
次に、ステップＳ５０４における画像表示処理について図７のフローチャートを用いて以下に説明する。
【００２８】
まず、ステップＳ６０１で再生モードか（ＭＯＤＥ＝０か）を判断する。再生モードでないときには、何も処理をせずに終了する。ステップＳ６０１で再生モードと判断された場合には、ステップＳ６０２に進み、ＰＮＴＲの示すファイルを画像ファイルディレクトリ３１からしらべ、その実体ファイルを読み込み、表示装置１０４で表示をする。そして、ステップＳ６０３以降で、表示しているファイルを外部装置（本実施形態ではプリンタ２０）から予め決められたファイル名でアクセスできるようにするための処理を行う。ここで、この予め決められたファイル名を「ＤＩＳＰ」とする。
【００２９】
まず、ステップＳ６０３において、ＰＮＴＲの示すファイルの実体を実体格納領域３２の別なところへ、コピーをする。例えば、図３において、最初は領域３０９には意味のないものが格納されている。ＰＮＴＲが１でステップＳ６０３の処理が実行されると、領域３０９にＦＩＬＥ＿１（領域３０６）の内容がコピーされる。そして、ステップＳ６０４でディレクトリ３１内を検索し、「ＤＩＳＰ」を示すファイル情報ブロックがあるかどうかを判断する。
【００３０】
最初にステップＳ６０４を処理する時点ではＤＩＳＰは存在しないので、ステップＳ６０５に進み、ディレクトリ３１内にＤＩＳＰを示すファイル情報ブロックを作成し、ファイル名「ＤＩＳＰ」とそのサイズ（これについては、ＰＮＴＲの示すファイルのファイル情報ブロックからサイズをコピーすればよい）、そして、ＰＮＴＲの示すファイルのコピー先の領域３０９の先頭アドレス３１３を格納する。そして、本処理を終了する。ステップＳ６０４でディレクトリ３１内を検索した結果、「ＤＩＳＰ」のファイル情報ブロックが存在した場合には、そのブロックのファイルサイズ４０２の内容をＰＮＴＲが指し示すファイルのファイルサイズに更新（ＰＮＴＲの示すファイルのファイル情報ブロックからサイズをコピー）し、先頭アドレス４０３の内容を、ステップＳ６０３で実体のコピー先となった領域の先頭アドレスに更新する。
【００３１】
次に、外部装置からファイルの転送が要求された際のデジタルカメラ１０における処理を説明する。図８は外部装置からファイルの転送が要求された際の処理を説明するフローチャートである。
【００３２】
まず、ステップＳ７０１において、外部装置より要求されたコマンドを解釈する。ステップＳ７０２では、ステップＳ７０１で解釈されたコマンドがＲＥＡＤリードコマンドかを判断する。ＲＥＡＤコマンドでない場合にはステップＳ７０４へすすみ、解釈されたコマンドに対応した処理を行う。ＲＥＡＤコマンドの場合には、ステップＳ７０３でファイル転送を行う。外部からＤＩＳＰファイルのＲＥＡＤコマンドが来ると、ＤＩＳＰファイル、すなわち表示装置１０４に表示中の画像の画像ファイルが転送される。
【００３３】
図９は、上記ステップＳ７０３におけるファイル転送の詳細な処理を説明するフローチャートである。
【００３４】
ステップＳ８０１では、リードコマンドで指定されたファイルがあるかどうかを判断する。ファイルがない場合には、ステップＳ８０３へ進み、エラーを外部装置へ返す。ステップＳ８０１で指定ファイルがあった場合には、その実体を転送する。具体的には、「ＤＩＳＰ」がリードファイル名として指定された場合には、図４の領域３０９の内容の転送を行う。ここで指定ファイルの有り無しはディレクトリを検索することで容易に実現できる。
【００３５】
以上、説明したように、上記実施形態によれば、外部装置から予めわかっているファイル名をアクセスできるように、表示されているファイルをその名前でコピーをとっておいたり、別名でアクセスされたときに、表示されているファイルに対してとみなすことで、外部装置が実際のファイル名をしらなくとも、表示されているファイルにアクセスが可能となる。
【００３６】
とくに、デジタルカメラなどで、外部装置とのインターフェースとして、ＵＳＢのストレージクラスを用意しているものに関しては、デジタルカメラ側の少ない負荷により、デジタルカメラにおいて表示されているファイルの情報を、外部装置が簡単に取得できる。また、外部装置としてプリンタを考えた場合、デジタルカメラにおいて表示しているものが印刷できるという、ユーザインタフェイスにすぐれたプリントシステムを実現できる。さらに、その実現のためのデジタルカメラ側のソフト変更も少ないというメリットもある。
【００３７】
〈第２実施形態〉
第１実施形態では、外部装置よりの予め決められたファイル名のＲＥＡＤコマンドに対して表示中のファイルを渡すために、表示装置１０４に表示中の画像ファイルのコピーをＤＩＳＰというファイル名で格納した。すなわち、第１実施形態では表示中のファイルのコピーを予め決められたファイル名（ＤＩＳＰ）で保存している。
これに対して、第２実施形態では、実体をコピーせずに、別名の登録をする。すなわち、第２実施形態では、実体をコピーせずに、ディレクトリ３１のＤＩＳＰに相当するところ（ファイル名がＤＩＳＰのファイル情報ブロック）に、表示中の画像ファイルのサイズと、その実体の開始アドレスを記憶する。
【００３８】
図１０は、第２実施形態による画像表示処理を説明するフローチャートである。これは、図７のフローチャートの一部を変更したものである。図１０において、ステップＳ６０１、Ｓ６０２は、図７で説明した処理と同様である。その後、ステップＳ９０１では、ＰＮＴＲで指定されるファイルのサイズ、先頭アドレスを「ＤＩＳＰ」というファイル名でディレクトリ３１に登録する。こうすることにより、外部装置からのリードアクセスに対して、前述の実体コピーと同様のことが可能となる。すなわち、ＤＩＳＰというファイル名のＲＥＡＤコマンドが来た場合は、ディレクトリ３１を検索してＤＩＳＰのファイル情報ブロックを取得し、当該ブロックのファイルサイズ及び先頭アドレスから実体を取得して外部装置へ送信する。
【００３９】
以上のような第２実施形態によれば、第１実施形態で挙げた効果に加えて、実体のコピーをしなくてよいので、より少ない記憶手段で実現が可能となる。
【００４０】
なお、上述した実施形態では、「ＤＩＳＰ」を予め決められたファイル名としたが、もちろんこれにかぎるわけではない。また、ファイル名のキーワードとして「ＤＩＳＰ」があれば、同様の作用をすることは可能である。特に、デジタルカメラが複数機種あった場合、ファイル名やサイズなどの制約などがあっても、最小限の文字数のキーワードを有するファイル名として指定可能とすることでそれに対応でき、同様な効果を得られる。なお、上記実施形態では「ＤＩＳＰ」に対するファイルを撮影モードのときに無効化（削除）しており、記憶装置の節約を実現している。
【００４１】
なお、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００４２】
この場合、記憶媒体から読出されたプログラムコード自体が前述した実施形態の機能を実現することになり、そのプログラムコードを記憶した記憶媒体は本発明を構成することになる。
プログラムコードを供給するための記憶媒体としては、例えば、フレキシブルディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００４３】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００４４】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００４５】
【発明の効果】
以上説明したように本発明によれば、表示中のファイルを外部の装置より特定することが可能となる。
【図面の簡単な説明】
【図１】第１実施形態によるデジタルカメラとプリンタの接続状態を説明する図である。
【図２】第１実施形態によるデジタルカメラ１０の構成を示すブロック図である。
【図３】入力装置１０３の有するスイッチパネルを示す図である。
【図４】画像ファイルフォルダ１０８のデータ構成例を説明する図である。
【図５】ファイル情報ブロックのデータ構成例を示す図である。
【図６】本実施形態のデジタルカメラによる全体的な処理を説明するフローチャートである。
【図７】ステップＳ５０４における画像表示処理を示すフローチャートである。
【図８】外部装置からファイルの転送が要求された際の処理を説明するフローチャートである。
【図９】ステップＳ７０３におけるファイル転送の詳細な処理を説明するフローチャートである。
【図１０】第２実施形態による画像表示処理を説明するフローチャートである。
【図１】
2004078520.tif 000003
【図２】
2004078520.tif 000004
【図３】
2004078520.tif 000005
【図４】
2004078520.tif 000006
【図５】
2004078520.tif 000007
【図６】
2004078520.tif 000008
【図７】
2004078520.tif 000009
【図８】
2004078520.tif 000010
【図９】
2004078520.tif 000011
【図１０】
2004078520.tif 000012